(57)【要約】  本発明は、相互に離間されかつ互いに平行である第１のスイッチ接点（２）および第２のスイッチ接点（３）を備えるボタン（１）に関する。第１のスイッチ接点（２）は、力が加えられたときに第２のスイッチ接点（３）との電気ライン接続を確立するように設計されている。ボタン（１）は、第２のスイッチ接点（３）から離間されかつ第１のスイッチ接点（２）の反対側に平行に配置された第３のスイッチ接点（４）を備える。第３のスイッチ接点（４）は、力が加えられたときに第２のスイッチ接点（３）との電気ライン接続を確立するように設計されている。ボタン（１）は、第１のスイッチ接点（２）および／または第３のスイッチ接点（４）を静電容量式または誘導式タッチセンサとしてさらに動作させるように設計された分析ユニット（６）をさらに備える。
2020505748.tif 000002
【特許請求の範囲】
【請求項１】
離間されかつ互いに平行に配置された第１のスイッチ接点（２）および第２のスイッチ接点（３）を備える押しボタン（１）であって、
前記第１のスイッチ接点（２）は、前記第１のスイッチ接点（２）が前記第２のスイッチ接点（３）に触れるまで前記第２のスイッチ接点（３）に近づき、力が加えられたときに前記第２のスイッチ接点（３）への電気ライン接続を確立するように設計されており、
前記押しボタン（１）は、前記第２のスイッチ接点（３）から離間されかつ前記第１のスイッチ接点（２）の反対側に平行に配置された第３のスイッチ接点（４）を備え、
前記第３のスイッチ接点（４）は、前記第３のスイッチ接点（４）が前記第２のスイッチ接点（３）に触れるまで前記第２のスイッチ接点（３）に近づき、力が加えられたときに前記第２のスイッチ接点（３）への電気ライン接続を確立するように設計され、
前記押しボタン（１）が、前記第１のスイッチ接点（２）および／または前記第３のスイッチ接点（４）を静電容量式または誘導式タッチセンサとしてさらに操作するように設計された評価ユニット（６）を備えることを特徴とする、押しボタン（１）。
【請求項２】
前記押しボタン（１）がエネルギー貯蔵ユニット（７）を備え、前記エネルギー貯蔵ユニット（７）は、前記エネルギー貯蔵ユニット（７）が前記評価ユニット（６）に電圧を供給する動作可能状態、および非動作可能状態をとることができることを特徴とする、請求項１に記載の押しボタン（１）。
【請求項３】
前記第１のスイッチ接点（２）と前記第３のスイッチ接点（４）の両方に力を加えることにより、前記第１のスイッチ接点（２）と前記第２のスイッチ接点（３）と前記第３のスイッチ接点（４）との間にライン接続を確立し、前記エネルギー貯蔵ユニット（７）を前記非動作可能状態から前記動作可能状態に、または前記動作可能状態から前記非動作可能状態にすることを特徴とする、請求項２に記載の押しボタン（１）。
【請求項４】
前記第１のスイッチ接点（２）または前記第３のスイッチ接点（４）に力を加えることにより、前記エネルギー貯蔵ユニット（７）を前記非動作可能状態から前記動作可能状態に、または前記動作可能状態から前記非動作可能状態にすることを特徴とする、請求項２に記載の押しボタン（１）。
【請求項５】
前記第２のスイッチ接点（３）は、前記第２のスイッチ接点（３）から前記第１のスイッチ接点（２）および／または前記第３のスイッチ接点（４）までの距離を減少させる厚みまたは隆起（５）を呈することを特徴とする、請求項１から４のいずれか一項に記載の押しボタン（１）。
【請求項６】
前記第１のスイッチ接点（２）から前記第２のスイッチ接点（３）までの前記距離ならびに前記第３のスイッチ接点（４）から前記第２のスイッチ接点（３）までの距離の大きさが異なることを特徴とする、請求項１から４のいずれか一項に記載の押しボタン（１）。
【請求項７】
請求項２から６のいずれか一項に記載の押しボタン（１）を少なくとも１つ備えるスマートカード（８）であって、カード番号ならびに複数のシーケンス番号が前記スマートカード（８）に割り当てられることを特徴とする、スマートカード（８）。
【請求項８】
前記スマートカード（８）は、識別送信装置（１１）、セキュアエレメント（１０）、データメモリ（１２）、ディスプレイ（９）、誘導式タッチセンサならびに静電容量式タッチセンサのうちの少なくとも１つをさらに備え、
前記識別送信装置（１１）は前記カード読取装置（１２）に接続することができ、前記カード読取装置（１２）が支払サービスプロバイダシステム（１３）にアクセスするように設計され、前記支払サービスプロバイダシステム（１３）がネットワークデータ記憶装置（１４）にアクセスするように設計されていることを特徴とする、請求項７に記載のスマートカード（８）。
【請求項９】
支払情報を送信するための請求項８に記載のスマートカード（８）の使用であって、
初期化ステップであって、
それぞれの場合に、前記スマートカード（８）の前記カード番号の１つのシーケンス番号をクレジットカード番号またはバンクカード番号に割り当てること、および
当該割り当てを、前記スマートカード（８）の前記データメモリ（１２）ならびにデータネットワークでアクセス可能な前記ネットワークデータ記憶装置（１４）に保存すること
を含む初期化ステップと、
動作ステップであって、
前記スマートカード（８）のユーザが前記スマートカード（８）を用いてクレジットカード番号またはバンクカード番号を選択すること、
前記スマートカード（８）の前記カード番号と、前記前記識別送信装置（１１）によって前記選択されたバンクカード番号またはクレジットカード番号に割り当てられた前記シーケンス番号とを前記カード読取装置（１２）に送信すること、
前記カード読取装置（１２）が前記スマートカード（８）の前記カード番号および前記シーケンス番号を前記支払サービスプロバイダシステム（１３）に送信すること、および
前記支払サービスプロバイダシステム（１３）によって前記送信されたシーケンス番号に割り当てられた前記クレジットカード番号または前記バンクカード番号を前記ネットワークデータ記憶装置（１４）上で取り出すこと
を含む動作ステップと、
を含む、スマートカード（８）の使用。
【請求項１０】
前記スマートカード（８）の前記カード番号の前記シーケンス番号の前記割り当てが、前記スマートカード（８）をコンピュータユニット（１５）に接続することによって行われ、前記コンピュータユニット（１５）は、前記スマートカード（８）の前記データメモリ（１２）ならびに前記ネットワークデータ記憶装置（１４）にアクセスでき、請求項９に記載の初期化ステップを実施する処理プログラムを実行するように設計されていることを特徴とする、請求項９に記載のスマートカード（８）の使用。
【発明の詳細な説明】
【技術分野】
【０００１】
本発明は、離間されかつ互いに平行に配置された第１のスイッチ接点および第２のスイッチ接点を備える押しボタンに関し、第１のスイッチ接点は、力が加えられたときに第２のスイッチ接点への電気ライン接続（ｅｌｅｃｔｒｉｃａｌ  ｌｉｎｅ  ｃｏｎｎｅｃｔｉｏｎ）を確立するように設計されている。
【背景技術】
【０００２】
押しボタンは、例えば移動電話、コンピュータキーボード、コントロールパネルなどの複数の電子装置上に使用される操作要素である。
【０００３】
この押しボタンは、力を加えることによって操作される機械装置である。従来の押しボタンは安定初期状態および準安定状態を有しており、初期状態から準安定状態への移行は、第１のスイッチ接点に機械的力を加えることによって実現される。力が第１のスイッチ接点に作用していなければ、押しボタンは初期状態である。この状態では、第１のスイッチ接点および第２のスイッチ接点は離間される。押しボタンが作動すると、第１のスイッチ接点および第２のスイッチ接点は触れ合って準安定状態になり、電気ライン接続が確立される。第１のスイッチ接点への力の印加が終わると、押しボタンは独立に初期状態になり、電気ライン接続は中断される。従来技術による押しボタンは、例えば、スナップドーム付き押しボタン、メンブレンキー、またはスプリングボタンとして設計されている。
【０００４】
押しボタンを実装する別の可能性は、静電容量または誘導の原理に従って押しボタンを設計することである。従来技術による静電容量式押しボタンは機械的可動構成要素を全く有していない。この静電容量式押しボタンは、離間されかつ互いに平行に配置された２つの電極からなり、補助電圧を供給され、静電容量を有する。２つの電極はガラスやフィルムなどの支持体に当てられ、評価ユニットで走査される。静電容量式押しボタンのキャリヤに触れると、静電容量が変化する。この変化は評価ユニットによって記録される。誘導式押しボタンは、磁場を生成する能動入力要素を使用している。押しボタンの導電構成要素には、電流がこの導電構成要素によって誘導され、この電流は評価ユニットによって記録される。
【０００５】
従来の機械式押しボタンは、特にこの押しボタンが移動電子装置に使用される場合、移動電子装置が機械的影響にさらされることが多いので誤動作が起こり得るという欠点を有する。この誤動作を防止するための追加の遮蔽物または保護カバーは、移動電子装置に必要な空間を増大させ、このことは望ましくないことが多い。
【０００６】
静電容量式または誘導式押しボタンは、この押しボタンに補助電圧が供給されたときにしか機能しないという欠点を有する。この押しボタンが移動電子装置に使用されると、このことは、特に電池容量が限られている場合に押しボタンの耐用年数を著しく減少させる。さらに、この種の押しボタンは、故意でない接触により誤動作も起こしやすい。
【０００７】
加えて、従来技術による押しボタンには、この押しボタンが単一入力オプションしか有していない操作要素を構成するという欠点がある。従来技術の押しボタンは、この押しボタンがある時点で押圧されている、または押圧されていないことを示す単純な情報しか提供することができない。その結果、最新の電子装置上に従来技術による押しボタンを使用する可能性は、比較的高い空間要件に加えて大きく制限される。
【発明の概要】
【発明が解決しようとする課題】
【０００８】
本発明の目的は、上記の欠点を克服する押しボタンを考案することである。
【課題を解決するための手段】
【０００９】
本発明によれば、本発明の目的は、押しボタンが第２のスイッチ接点から離間されかつ第１のスイッチ接点の反対側に平行に配置された第３のスイッチ接点を備え、第３のスイッチ接点は力が加えられたときに第２のスイッチ接点への電気ライン接続を確立するように設計され、押しボタンは、第１のスイッチ接点および／または第３のスイッチ接点を静電容量式または誘導式タッチセンサとしてさらに操作するように設計された評価ユニットを備えることで達成される。
【００１０】
押しボタンの本発明による設計は、従来技術による押しボタンと比べると、結果として著しく多い数の入力オプションを有する押しボタンになるという利点を提供する。第１のスイッチ接点および第３のスイッチ接点は、外側に向かって導電性または非導電性となるように設計することができ、例えば可撓性フィルムの下にキーが形成されるように設計することができる。したがって、単一入力オプション（押しボタンは単に押圧されている、または押圧されていない）の代わりに、本発明による押しボタンに関して追加の入力オプションを実現することができる。追加の入力オプションは以下の通り分類される。
第１のスイッチ接点に対する圧力
第３のスイッチ接点に対する圧力
第１のスイッチ接点のタッチング
第３のスイッチ接点のタッチング
【００１１】
この場合、上記の入力オプションの組合せが、例えば、第１のスイッチ接点および第３のスイッチ接点に対する同時圧力、第１のスイッチ接点および第３のスイッチ接点の同時タッチング、などの組み合わされた入力方法を生むために使用され得ることは特に有利である。したがって、従来技術による押しボタンと比べると、本発明による押しボタンは、この押しボタンが、必要な空間が同じでかなり広範な潜在的利用を伴う操作要素を構成するという利点を提供する。
【００１２】
別の利点は、本発明による押しボタンに補助電圧が連続的に供給される必要がなく、前記電圧が第１のスイッチ接点または第３のスイッチ接点を押圧すること、あるいは第１のスイッチ接点および第３のスイッチ接点を同時に押圧することによってのみ起動され得ることである。このようにして、本発明による押しボタンの消費電力は一定ではなく、それによって押しボタンが使用される移動装置の耐用年数が延びることが達成される。加えて、考えられる誤動作が防止される、または少なくとも誤動作の可能性が低減される。
【００１３】
第２のスイッチ接点の表面の可変構成を用いて、第１のスイッチ接点と第２のスイッチ接点との間の距離ならびに第３のスイッチ接点と第２のスイッチ接点との間の距離が異なることを実現することができる。その結果、第１のスイッチ接点および第３のスイッチ接点の操作中の触覚フィードバックを別々に設計することができる。
【００１４】
本発明による押しボタンのスイッチ接点は、例えば、一体化導電要素付きフィルム、金属薄膜、ＦＰ、ＰＣＢＡなどを使用して実現することができる。このことは、本発明による押しボタンが非常に低い輪郭部を有することができ、その結果、押しボタンは、スマートカード、デビットカード、クレジットカードなどの薄いプラスチックカードでの使用に特に適しているという利点につながる。さらなる適用領域が、例えば、値札、案内標識、製品コード、ＩＤなどの電子インクベースのディスプレイ（ｅ−ｉｎｋ−ｂａｓｅｄ  ｄｉｓｐｌａｙｓ）である。
【００１５】
本発明による押しボタンの好ましい適用例が、支払手段として使用されるスマートカードに見られる。スマートカードは、通常はプラスチック製のカード本体を備える薄いカードであり、いくつかの能動入出力要素および非能動入出力要素、データメモリ、ならびに無線ネットワークインターフェース、ＲＦ−ＩＤ（無線周波数識別）アンテナ、ＮＦＣ（近接場通信）ユニットなどの識別送信装置を含むことができ、セキュアエレメント（ｓｅｃｕｒｅ  ｅｌｅｍｅｎｔ）を備える。そのような能動要素を使用するには、能動要素が動作するための薄い電池の形をとる独立したエネルギー供給部が必要である。しかしながら、通常はクレジットカード形式で生産されるそのようなスマートカードの寸法が制限されるため、そうしたエネルギー貯蔵ユニットの蓄電容量は非常に限定される。さらに、空間的余裕が小さいと、好ましくは狭い空間を必要とする入力要素が使用されるが、同時に多数の入力オプションおよび低いエネルギー需要を提供することにつながる。そうした特性は、本発明による押しボタンによって有利に提供される。この種のスマートカード上に本発明による押しボタンを使用することに関連するもう１つの利点は、スマートカードが使用されていないときにエネルギーを消費しないようにスマートカードを作動させたり作動を停止したりするために押しボタンを使用することもできることである。これに関連して、さらに、スマートカードを作動停止状態で読み取ることができないことが特に有利である。
【００１６】
上述したように設計されたスマートカードは、一意のカード番号および様々なシーケンス番号をスマートカードに割り当てることによりいくつかのバンクカードおよびクレジットカードの機能をまとめることができる。シーケンス番号は、特定のバンクカードまたはクレジットカードを識別するために使用することができる。この目的で、特定のバンクカードまたはクレジットカードの割り当ては、スマートカードのデータメモリならびにネットワークデータ記憶装置に保存される。このようにして、ユーザは、本発明による１つまたは複数の押しボタンを使用して、支払用の特定のバンクカードまたはクレジットカードをスマートカード上で直接選択することが有利に可能となる。支払処理の手順では、スマートカードのカード番号ならびに当該選択済みバンクカードまたはクレジットカードに割り当てられたシーケンス番号が支払サービスプロバイダシステム（ｐａｙｍｅｎｔ  ｓｅｒｖｉｃｅ  ｐｒｏｖｉｄｅｒ  ｓｙｓｔｅｍ）に送信される。このシステムは、ネットワークデータ記憶装置にアクセスするとともに、選択済みバンクカードまたはクレジットカードをスマートカードの当該シーケンス番号に割り当てるのを決定することができる。したがって、次いで、支払プロセスは選択済みバンクカードまたはクレジットカードを介して処理することができる。
【００１７】
本発明による押しボタンの有利な諸実施形態ならびに代替実施形態変形について、図を参照しながら以下でより詳細に説明する。
【図面の簡単な説明】
【００１８】
【図１】本発明による押しボタンの断面図である。
【図２】本発明による押しボタンを備えるスマートカードの説明図である。
【図３】支払情報の送信に図２によるスマートカードを使用する方法の流れ図である。
【発明を実施するための形態】
【００１９】
図１は、好ましい一実施形態変形の斜視図に本発明による押しボタン１の垂直断面図を示す。押しボタン１は、第１のスイッチ接点２、第２のスイッチ接点３および第３のスイッチ接点４から構成され、これらのスイッチ接点は互いに平行に配置され、図のように押しボタン１の初期状態で触れ合っていない。第２のスイッチ接点３は、第１のスイッチ接点２と第３のスイッチ接点４との間に配置される。図示の好ましい実施形態変形では、これらのスイッチ接点は、可撓性フィルム、金属薄膜、ＦＰ、ＰＣＢＡなどによって設計することができ、第１のスイッチ接点２および第３のスイッチ接点４の、第２のスイッチ接点３と対向する側は、電気的に伝導性または非伝導性となるように設計することができる。押しボタン１のユーザが第１のスイッチ接点２または第３のスイッチ接点４に力を及ぼすと、当該スイッチ接点は、そのスイッチ接点が第２のスイッチ接点３に触れるまで第２のスイッチ接点３に近づき、準安定状態で、電流が流れることができる電気ライン接続を確立する。力の印加が終わると、押しボタン１は初期状態に戻り、ライン接続は中断される。スイッチ接点２、３および４の本発明によるこの配置構成は、図１に示されており、本発明による押しボタン１の両面操作を有利に可能にする。
【００２０】
図１に示されている好ましい実施形態変形では、押しボタン１は、第２のスイッチ接点３の中央において厚みまたは隆起５を呈する。それにより、第２のスイッチ接点３から第１のスイッチ接点２までの距離および第２のスイッチ接点３から第３のスイッチ接点４までの距離は減少する。その結果、押しボタン１の操作に必要な力を簡単な方法で変えることができるという利点が得られる。代替実施形態変形では、この厚みまたは隆起５は、第２のスイッチ接点３の、第１のスイッチ接点２に割り当てられる側、または第３のスイッチ接点４に割り当てられる側の様々な場所に形成することができる。
【００２１】
さらに、それにより、第１のスイッチ接点２および第３のスイッチ接点４までの異なる距離を実現することができる。したがって、第１のスイッチ接点２または第３のスイッチ接点４の操作に対して異なる触覚フィードバックをユーザに提供することが可能であると有利である。
【００２２】
さらに、図１に示されている押しボタン１は評価ユニット６ならびにエネルギー貯蔵ユニット７を備える。エネルギー貯蔵ユニット７は補助電圧を供給するものであり、補助電圧により、評価ユニット６が静電容量ベースまたは誘導ベースでの押しボタン１の接触を記録することが可能になる。代替実施形態変形では、補助電圧は、例えば電力供給装置などの電源によって供給される。
【００２３】
本発明による押しボタン１に評価ユニット６を一体化することにより、両側で操作可能な機械式押しボタンとしての操作の特性に加えて、押しボタン１を両側で操作可能な誘導式または静電容量式タッチセンサとして操作することが可能になる。この結果、追加の入力オプションを単一押しボタン１で実現できるという利点になる。代替実施形態変形では、第１のスイッチ接点２だけまたは第３のスイッチ接点４だけをタッチセンサとして操作することも可能である。
【００２４】
図１に示されているエネルギー貯蔵ユニット７は動作状態または非動作状態をとることができる。動作状態から非動作状態への切替え、または逆に非動作状態から動作状態への切替えは、第１のスイッチ接点２および第３のスイッチ接点４に圧力を同時に加えることにより実現することができる。このようにして、第１のスイッチ接点２と第２のスイッチ接点３と第３のスイッチ接点４との間のライン接続が確立される。この特徴により、エネルギー貯蔵ユニット７は、必要なときにのみ押しボタン１を静電容量式または誘導式タッチセンサとして操作するための補助電圧を供給することが可能になる。その結果、押しボタン１が使用されていないときのエネルギー貯蔵ユニット７の放電が妨げられるという利点が得られる。代替実施形態変形では、動作状態と非動作状態との切替えは、専ら第１のスイッチ接点２または第３のスイッチ接点４にかかる圧力により、あるいは上記の可能性の任意所望の組合せにより実現することもできる。本発明による押しボタンが電子装置に使用される場合、この特徴は、当該装置の故意でない作動を防止し、それによって作動セキュリティを高めるために使用することができる。
【００２５】
図２はスマートカード８の斜視図を示し、スマートカード８は、図１のように本発明による押しボタン１を、関連する評価ユニット６およびエネルギー貯蔵ユニット７と共に含む。加えて、スマートカード８は、ディスプレイ９、セキュアエレメント１０、識別送信装置１１、データメモリ１２、ならびに３つの入力要素１３を備える。入力要素１３はいずれも、本発明による押しボタン１として設計されてもよく、あるいは代替実施形態では機械式押しボタン、誘導式タッチセンサもしくは静電容量式タッチセンサ、またはこれらを任意に組み合わせたものとして設計されてもよい。識別送信装置１１は、無線通信またはコンタクトバウンド通信（ｃｏｎｔａｃｔ−ｂｏｕｎｄ  ｃｏｍｍｕｎｉｃａｔｉｏｎ）用のＲＦＩＤアンテナ、ＮＦＣモジュールまたは他の装置として設計することができる。ディスプレイ９は、従来型ＬＣＤディスプレイや電子インクディスプレイなどとして設計することができる。さらに、ディスプレイ９は接触検知の形で設計することができる。押しボタン１のエネルギー貯蔵ユニット７は、スマートカード８の他の構成要素に電力を供給するために使用される。したがって、押しボタン１の有利な設計により、図１に示されているように、エネルギー貯蔵ユニット７を動作可能状態ならびに非動作可能状態に設定し、それによってスマートカード８全体を作動させるまたは作動停止させることが可能である。その結果、スマートカード８が使用されていないときのエネルギー貯蔵ユニット７の放電が妨げられるという利点が得られる。したがって、スマートカード８から読み出され得ることも妨げられる。別の実施形態変形では、１つのスマートカード８上に本発明による複数の押しボタン１を使用することができる。その結果、例えば、エネルギー貯蔵ユニット７を動作可能状態に設定するように複数の押しボタン１を同時に操作する必要であるという点で、作動セキュリティをさらに高めることができる。さらに、このことは、異なる押しボタン１を組み合わせて操作することにより特定のセキュリティ機能を取り出すことに利用することができる。押しボタン１の特に薄い構造により、例えば、押しボタン１は上述したスマートカード８などの装置の上部および下部に隣り合って配置されることが可能になる。このようにして、押しボタン１の位置の特に人間工学的な設計を実現することができる。これは、例えばスマートカード８を平坦面上に置くことにより、接触によるか力の印加または加圧によるかのどちらかにより押しボタン１の片側のみを操作する可能性を開く。
【００２６】
好ましい実施形態変形では、カード番号が図２に示されているスマートカード８に割り当てられ、このカード番号によりスマートカード８を明瞭に識別することができる。その後、このカード番号に様々なシーケンス番号が割り当てられる。これにより、スマートカード８は一意の識別を有するという利点が提供され、以下に説明するスマートカードの様々な動作モードをシーケンス番号に割り当てることができる。
【００２７】
図２に示されているスマートカード８に本発明による押しボタン１を１つまたは代替実施形態変形では複数使用することで、いくつかの異なる入力オプションが有利に可能になる。スマートカード８が平坦面上に置かれる場合、例えば、使用される当該押しボタン１の第１のスイッチ接点２か第３のスイッチ接点４のどちらかが互いに独立に押圧または接触され得る。これは、例えば、権限のないユーザがスマートカード８を使用するのを防止するＰＩＮコードまたはロック解除コードを入力するために使用され得る。
【００２８】
図３は、支払情報の送信に図２によるスマートカード８を使用する方法の流れ図を示す。好ましい実施形態変形では、図２に示されているスマートカード８の識別送信装置１１は、カード読取装置１２と通信するように、またはカード読取装置１２と接続可能になるように配置される。カード読取装置１２は、支払取引を処理できるようにする任意の販売時点情報管理端末（ｐｏｉｎｔ  ｏｆ  ｓａｌｅ  ｔｅｒｍｉｎａｌ）、バンクカードまたはクレジットカード読取装置とすることができる。前記装置は支払サービスプロバイダシステム１３にアクセスするように配置され、支払サービスプロバイダシステム１３はネットワークデータ記憶装置１４にアクセスすることができる。スマートカード８をカード読取装置１２に接続すると、識別送信装置１１はカード番号ならびにシーケンス番号をカード読取装置１２に送信する。
【００２９】
このため、スマートカード８は、スマートカード８が複数のバンクカードおよびクレジットカードの機能をまとめることができるので、支払取引の処理に使用することができる。この目的で、一連の初期化ステップが実行される。一連の初期化ステップは、スマートカード８のカード番号のシーケンス番号のうちの１つを選択されたバンクカードまたはそのバンクカード番号に、あるいはクレジットカードまたはそのクレジットカード番号に割り当てるとともに、この割り当てをスマートカード８のデータメモリ１２ならびにネットワークデータ記憶装置１４内に置くものである。ネットワークデータ記憶装置１４は、例えばインターネットなどのデータネットワークを介してアクセス可能なメモリである。割り当ては、スマートカード８を、例えばスマートフォン、タブレット、ラップトップもしくはデスクトップコンピュータなどのコンピュータユニット１５に接続することによって行われる。スマートカード８への接続により、コンピュータユニット１５はスマートカード８のデータメモリ１２にアクセスする。さらに、コンピュータユニット１５は、データネットワーク、したがってネットワークデータ記憶装置１４にアクセスできる。コンピュータユニット１５は、スマートカード８のユーザが割り当てを行うのを可能にする処理プログラムを実行し、処理プログラムは、前記割り当てをスマートカード８のデータメモリ１２ならびにネットワークデータ記憶装置１４に保存する。
【００３０】
コンピュータユニット１５へのスマートカード８の接続は初期化ステップを実行するためにのみ必要である。初期化ステップが行われていれば、スマートカード８は支払情報を独立に送信することができる。スマートカード８を使用して、スマートカード８のユーザは、この目的で、初期化ステップの過程で以前に初期化されたことがあるバンクカードまたはクレジットカードを直接選択する。その後、識別送信装置１１は、スマートカード８のカード番号と選択されたバンクカードクレジットカードに以前に割り当てられているシーケンス番号とをカード読取装置１に送信する。前記装置は、カード番号およびシーケンス番号を支払サービスプロバイダシステム１３に送信する。支払サービスプロバイダシステム１３は、ユーザによって選択されたバンクカードまたはクレジットカード用のシーケンス番号の割り当てを取り出すためにネットワークデータ記憶装置１４にアクセスする。その結果、支払サービスプロバイダシステム１３は、バンクカードまたはクレジットカードに割り当てられるどのアカウントに支払プロセスを課されるべきかに関する情報を受信する。
【００３１】
バンクカードが代替実施形態変形における支払プロセスの取扱いのためにユーザによって選択されると、選択されたバンクカードのバンクカード番号はスマートカード８によってカード読取装置１２に直接送信される。その後、バンクカードは、カード読取装置１２でセキュアエレメント１０を用いて直接識別される。
【００３２】
この方法は、このようにしてスマートカード８が複数のバンクカードおよびクレジットカードの機能を果たすことができるという利点を提供する。
【図１】
2020505748.tif 000003
【図２】
2020505748.tif 000004
【図３】
2020505748.tif 000005
【国際調査報告】
2020505748.tif 000006
2020505748.tif 000007
2020505748.tif 000008
2020505748.tif 000009
2020505748.tif 000010
2020505748.tif 000011